(57)【特許請求の範囲】
【請求項１】
電源の出力を制御する電源制御方法において、
温度に基づいて、定格出力を超える過負荷状態を許容時間許容する最大定格出力を可変設定する設定ステップを含む、電源制御方法。
【請求項２】
前記電源の入力は交流又は直流入力であり、該交流又は直流入力を該入力とは異なる直流出力に変換する変換ステップを更に含む、請求項１記載の電源制御方法。
【請求項３】
前記設定ステップは、前記温度に基づいて最大定格電流を可変設定する、請求項１又は２記載の電源制御方法。
【請求項４】
電源の出力を制御する電源制御回路において、
入力温度情報に基づいて、定格出力を超える過負荷状態を許容時間許容する最大定格出力を可変設定する設定部を備えた、電源制御回路。
【請求項５】
交流又は直流入力を前記入力とは異なる直流出力に変換する制御回路を含む、請求項４記載の電源制御回路。
【請求項６】
前記設定部は、前記入力温度情報に基づいて最大定格電流を可変設定する、請求項４記載の電源制御回路。
【請求項７】
前記設定部は、前記入力温度情報及び基準情報に基づいて前記最大定格出力を可変設定し、該基準情報は電源制御回路の出力電流及び／又は出力電圧の定格値を示す、請求項４記載の電源制御回路。
【請求項８】
電源からの交流又は直流入力を該入力とは異なる直流出力に変換する電源装置において、
入力温度情報に基づいて、定格出力を超える過負荷状態を許容時間許容する最大定格出力を可変設定する電源制御回路を備えた、電源装置。
【請求項９】
前記電源制御回路は、前記入力温度情報に基づいて最大定格電流を可変設定する、請求項８記載の電源装置。
【請求項１０】
前記電源制御回路は、前記入力温度情報及び基準情報に基づいて前記最大定格出力を可変設定し、該基準情報は電源制御回路の出力電流及び／又は出力電圧の定格値を示す、請求項８記載の電源装置。
【請求項１１】
温度を検出して前記入力温度情報を前記電源制御回路に入力する温度検出部を更に備えた、請求項８〜１０のいずれか１項記載の電源装置。
【請求項１２】
電子機器に外付けされ、出力を該電子機器の動作電源として供給する、請求項８記載の電源装置。
【請求項１３】
前記電子機器は動作時にその使用電力が可変する、請求項１２記載の電源装置。
【請求項１４】
電子機器と、該電子機器に外付けされその出力を該電子機器の動作電源として供給する電源装置とからなるシステムにおいて、
該電子機器は動作時にその使用電力が可変するものであり、
該電源装置は電源からの交流又は直流入力を該入力とは異なる直流出力に変換するものであり、入力温度情報に基づいて定格出力を超える過負荷状態を許容時間許容する最大定格出力を可変設定する電源制御回路を備えた、システム。
【発明の詳細な説明】
【０００１】
【発明の属する技術分野】
本発明は電源制御方法及び回路並びに電源装置に係り、特に定格出力が設定可能な電源制御方法及び回路並びに電源装置に関する。
ノート型パーソナルコンピュータ（以下、パソコンと言う）等の電子機器は、電源としてＡＣアダプタ等の電源装置を使用可能な構成となっている。このような電源装置は、電子機器が使用する最大電力を供給できることが電源としての仕様である。
【０００２】
又、一般に、ＡＣアダプタ等の電源装置には、予め定められた出力電圧及び出力電流があり、これらを定格出力と言う。電源装置は、この定格出力での連続使用に対して、電源装置の寿命や電源装置の温度上昇等が、予め定められた値であることを保証している。
【０００３】
【従来の技術】
ＡＣアダプタ等の電源装置では、定格出力で連続運転を保証するために、電源装置のサイズやコスト等に制約が生じている。特に、定格出力での連続運転で問題となるのは、電源装置内の電源回路の発熱による電源装置の温度上昇である。
他方、ノート型パソコン等の電子機器の動作を調べて見ると、実際には定格出力での連続運転は存在しない。例えば、ノート型パソコン内の回路は、種々の回路素子で構成されているが、これらの回路素子は全てが常に動作している訳ではない。ノート型パソコンの動作は、パソコン上で動作するアプリケーションプログラムに依存しており、その時々に応じて動作する回路が異なる。
【０００４】
ノート型パソコンでインターネットやパソコン通信等の通信機能を使用している時は、ノート型パソコンを電話回線と接続するためのモデムに関連する回路が動作してるが、通信機能を使用しない時は、モデムに関連する回路は動作していない。同様に、ノート型パソコンがアプリケーションプログラムを読み出したり、プログラムの実行でデータの読み出しやデータの書き込みを行っている時は、ハードディスクドライブの読み出しや書き込みに関連する回路が動作しているが、プログラムが数値の演算を行っている場合やオペレータからの入力待ちの状態では、ハードディスクドライブの読み出しや書き込みに関連する回路は動作していない。
【０００５】
このように、ノート型パソコンの消費電力は、プログラムの動作に応じて時々刻々変化しており、最大電力消費時に比べると、平均消費電力は、かなり低く、最大電力消費時の約半分程度である。
そこで、例えばＡＣアダプタを小型軽量化及び低コスト化するために、ノート型パソコンの消費電力の実態に合わせてＡＣアダプタが連続運転可能な定格電力を仕様上の定格出力として定義して、極めて短い時間に限って定格出力より大きな電力を取り出せるようにＡＣアダプタを構成する方法が考えられる。しかし、定格出力より大きな電力をＡＣアダプタから取り出し可能とする場合、この定格出力より大きな電力の使用時間は、ＡＣアダプタを使用するノート型パソコン側の設計では制限することができない。つまり、ノート型パソコンの使用電力は、動作するアプリケーションプログラムやノート型パソコンの使用方法によって大きく左右され、上記定格出力より大きな電力の使用時間を極めて短い所定時間以下に保証することは、実質的に不可能である。又、ノート型パソコンが本来使用するべきＡＣアダプタとは異なるタイプのＡＣアダプタを使用した場合には、定格出力より大きな電力の使用時間を制限することは不可能である。
【０００６】
ＡＣアダプタを定格出力で長時間使用しても、特に問題は発生しない。ところが、上記定格出力より大きな電力を長時間使用すると、ＡＣアダプタ内の電源回路の発熱により、ＡＣアダプタの異常な発熱が生じてしまい、ＡＣアダプタが故障したり、ＡＣアダプタの誤動作によりＡＣアダプタを使用するノート型パソコン側に故障が発生したり、最悪の場合にはＡＣアダプタから発火する可能性もある。従って、この考えられる方法では、ＡＣアダプタを小型軽量化及び低コスト化することができても、ＡＣアダプタの安定、且つ、安全な動作を保証することはできず、又、ＡＣアダプタを使用するノート型パソコンの保護が不十分となり、実用的ではない。
【０００７】
【発明が解決しようとする課題】
従来の電源制御方法では、上記問題点を考慮して、電源装置を使用する電子機器の最大消費電力を求めておき、この最大消費電力で電子機器が長時間連続動作しても電源装置内の電源回路に異常な発熱が発生したり、故障が発生しないように、電源装置の定格出力を設定している。このような電源装置は、スイッチングレギュレータを用いる。
【０００８】
しかし、このような、電子機器の最大消費電力を考慮した電源装置の設計では、電源装置の小型軽量化及び低コスト化は難しく、電源装置の安定、且つ、安全な動作を保証することはできず、更に、電源装置を使用する電子機器の保護を十分に行うことができないという問題があった。
そこで、本発明は、小型軽量化及び低コスト化が可能であり、安定、且つ、安全な動作を保証でき、電源装置を使用する電子機器の保護も十分に行うことが可能な電源制御方法及び回路並びに電源装置を提供することを目的とする。
【０００９】
【課題を解決するための手段】
上記の課題は、電源の出力を制御する電源制御方法において、温度に基づいて、定格出力を超える過負荷状態を許容時間許容する最大定格出力を可変設定する設定ステップを含む電源制御方法によって達成できる。本発明によれば、定格出力を超える過負荷状態を許容時間内であれば許容し、許容時間を超えて過負荷状態が続く場合は最大許容定格出力を減少させて、電源回路の異常な温度上昇を比較的簡単な構成で確実に防止することができる。
【００１０】
前記電源の入力は交流又は直流入力であり、該交流又は直流入力を該入力とは異なる直流出力に変換する変換ステップを更に含んでも良い。この場合、小型、安価で、安定で安全な動作を保証できるＡＣアダプタやＤＣアダプタを実現できる。
前記設定ステップは、前記温度に基づいて最大定格電流を可変設定しても良い。
【００１１】
上記の課題は、電源の出力を制御する電源制御回路において、入力温度情報に基づいて、定格出力を超える過負荷状態を許容時間許容する最大定格出力を可変設定する設定部を備えた電源制御回路によっても達成できる。本発明によれば、定格出力を超える過負荷状態を許容時間内であれば許容し、許容時間を超えて過負荷状態が続く場合は最大許容定格出力を減少させて、電源制御回路の異常な温度上昇を比較的簡単な構成で確実に防止することができる。
【００１２】
前記電源制御回路は、交流又は直流入力を前記入力とは異なる直流出力に変換する制御回路を含む構成とすることもできる。
前記設定部は、前記入力温度情報に基づいて最大定格電流を可変設定する構成であっても良い。
前記設定部は、前記入力温度情報及び基準情報に基づいて前記最大定格出力を可変設定する構成であり、該基準情報は電源制御回路の出力電流及び／又は出力電圧の定格値を示しても良い。
【００１３】
上記の課題は、電源からの交流又は直流入力を該入力とは異なる直流出力に変換する電源装置において、入力温度情報に基づいて、定格出力を超える過負荷状態を許容時間許容する最大定格出力を可変設定する電源制御回路を備えた電源装置によっても達成できる。本発明によれば、定格出力を超える過負荷状態を許容時間内であれば許容し、許容時間を超えて過負荷状態が続く場合は最大許容定格出力を減少させて、電源装置内の異常な温度上昇を比較的簡単な構成で確実に防止することができる。
【００１４】
前記電源制御回路は、前記入力温度情報に基づいて最大定格電流を可変設定する構成であっても良い。
前記電源制御回路は、前記入力温度情報及び基準情報に基づいて前記最大定格出力を可変設定する構成であり、該基準情報は電源制御回路の出力電流及び／又は出力電圧の定格値を示しても良い。
【００１５】
電源装置は、温度を検出して前記入力温度情報を前記電源制御回路に入力する温度検出部を更に備えた構成とすることもできる。
従って、本発明によれば、小型軽量化及び低コスト化が可能であり、安定、且つ、安全な動作を保証でき、電源装置を使用する電子機器の保護も十分に行うことが可能な電源制御方法及び回路並びに電源装置を提供することができる。
【００１６】
【発明の実施の形態】
以下、本発明になる電源制御方法、電源制御回路及び電源装置の各実施例を、図面と共に説明する。
【００１７】
【実施例】
図１は、本発明になる電源装置の第１実施例を示す図である。電源装置の第１実施例では、本発明になる電源制御方法の第１実施例及び本発明になる電源制御回路の第１実施例を採用する。第１実施例では、本発明がスイッチングレギュレータを用いて交流入力を直流出力に変換するＡＣアダプタに適用されている。
【００１８】
図１において、ＡＣアダプタは、商用の交流入力を整流するための整流回路１と、整流回路１を介して得られる交流入力を電圧の異なる直流出力に変換するための電圧変換回路２と、電圧変換回路２を介して得られる直流出力を整流するための整流回路３と、整流回路３を介して得られる直流出力を制御するための出力制御回路４と、整流回路３を介して得られる直流出力の状態を電圧変換回路２へフィードバックするためのカプラ５と、ＡＣアダプタ内の温度を検出するための温度検出部６とからなる。
【００１９】
整流回路１は、図１に示す如く接続された整流ダイオードＤ１〜Ｄ４と、整流されたＡＣ入力を平滑するための平滑コンデンサＣ１とからなる。電圧変換回路２は、同図に示す如く接続された電圧変換用のトランスＴ１と、トランスＴ１を流れる電流をオン／オフするためのトランジスタＴｒ１と、トランジスタＴｒ１のオン／オフを制御するためのドライブ回路２１とからなる。
【００２０】
整流回路３は、図１に示す如く接続された整流ダイオードＤ５と、整流ダイオードＤ５で整流された電圧変換回路２からの直流出力を平滑するための平滑コンデンサＣ２とからなる。出力制御回路４は、同図に示す如く接続され、整流回路３を介して得られる直流出力を検出するためのセンス抵抗Ｒ０と、ＡＣアダプタの出力電流及び出力電圧を制御する制御するための電源制御回路４１とからなる。この電源制御回路４１は、温度情報に基づいてＡＣアダプタの最大定格出力を可変設定する設定部を構成する。
【００２１】
カプラ５は、電圧変換回路２のトランスＴ１の二次側の出力制御の状態を、トランスＴ１の一次側に伝えるために設けられた周知の回路であり、電源制御回路４１の出力を供給される。トランスＴ１の一次側と二次側とを絶縁するために、カプラ５は例えばフォトカプラから構成される。温度検出部６は、ＡＣアダプタ内の温度を検出して得られる温度情報を、後述するように出力制御回路４内の電源制御回路４１に供給する。温度検出部６は、ＡＣアダプタ内に設けられていれば良く、特に配置は限定されないが、回路動作に伴い発熱する箇所、即ち、電源制御回路４１の周辺箇所に設けられていることが望ましい。
【００２２】
図２は、本実施例で用いる出力制御回路４内の電源制御回路４１の構成の一実施例を示す図である。電源制御回路４１は、同図に示す如く接続された電圧増幅器ＡＭＰ１と、誤差増幅器ＥＲＡ１，ＥＲＡ２と、三角波発振器４２と、パルス幅変調（ＰＷＭ）制御回路４３と、端子４４〜４８とからなる。本実施例では、電源制御回路４１は単一の半導体集積回路装置（半導体チップ）で構成されている。この半導体チップは、整流回路１，３や電圧変換回路２の回路素子を含んでも良い。
【００２３】
端子４６，４７は、センス抵抗Ｒ０の端子と、電圧増幅器ＡＭＰ１の反転入力端子及び非反転入力端子とに接続されており、電圧増幅器ＡＭＰ１は、センス抵抗Ｒ０を流れる電流により生じる電圧降下を測定し、センス抵抗Ｒ０を流れる電流に比例する電圧を出力する。誤差増幅器ＥＲＡ１は、非反転入力端子に入力される電圧増幅器ＡＭＰ１の出力電圧と、反転入力端子に入力される基準電圧ｅ３’とを比較し、誤差電圧をＰＷＭ制御回路４３に入力する。端子に４４に入力される基準電圧ｅ３’は、ＡＣアダプタの出力電流を決定するもので、基準電圧源ｅ３からの基準電圧ｅ３を、抵抗Ｒ１とサーミスタＴｈ１とにより分圧することで得られる。他方、誤差増幅器ＥＲＡ２は、反転入力端子に入力される端子４７からの電圧と、非反転入力端子に入力される端子４５からの基準電圧ｅ２とを比較し、誤差電圧をＰＷＭ制御回路４３に入力する。端子４５に入力される基準電圧ｅ２は、ＡＣアダプタの出力電圧を決定するもので、基準電圧源ｅ２から得られる。
【００２４】
ＰＷＭ制御回路４３は、２つの非反転入力端子に夫々誤差増幅器ＥＲＡ１，ＥＲＡ２の出力電圧を入力され、１つの反転入力端子に三角波発振器４２からの三角波電圧を入力される一種の電圧比較器であり、入力電圧に応じて出力パルス幅のオン期間を制御する。ＰＷＭ制御回路４３の出力パルス電圧は、端子４８から出力されて図１に示すカプラ５に入力される。
【００２５】
本実施例では、ＡＣアダプタの定格出力は１６Ｖ／３．０Ａであり、出力電圧１６Ｖは基準電圧ｅ２により決定され、出力電流３．０Ａは基本的には基準電圧ｅ３’により決定される。仮に、この基準電圧ｅ３’が固定であったとすると、ＡＣアダプタに接続された電子機器等の負荷側が３．０Ａを超える出力電流を要求する過負荷状態になると、定格出力電流は３．０Ａに制限されるため、ＡＣアダプタの出力電圧は低下する。ＡＣアダプタの出力電圧が低下することで、過負荷状態でのＡＣアダプタの異常発熱が防止される。
【００２６】
しかし、このように基準電圧ｅ３’が固定であると、ＡＣアダプタの定格出力は１６Ｖ／３．０Ａであるため、ＡＣアダプタを使用する電子機器の最大消費電流は３．０Ａを超えられない。３．０Ａを超える過負荷状態では、ＡＣアダプタの出力電圧が低下してしまう。従って、ＡＣアダプタの出力特性は、負荷側が要求する出力電流が３．０Ａ以下であれば図３に示すようになる。又、負荷側が要求する出力電流が３．０Ａを超えると図４にハッチングで示すように過負荷状態の領域が発生し、この過負荷状態の領域で所定時間以上の連続運転を行うことができるようにしてしまうと、ＡＣアダプタの異常発熱を起こしてしまう。図３及び図４中、縦軸はＡＣアダプタの出力電圧、横軸はＡＣアダプタの出力電流を示す。
【００２７】
これに対し、本実施例では、基準電圧ｅ３’がＡＣアダプタ内の温度に応じて変化する。サーミスタＴｈ１の抵抗値は、ＡＣアダプタ内の温度に応じて変化する。このため、温度が低い時はサーミスタＴｈ１の抵抗値が大きくなり、温度が高い時はサーミスタＴｈ１の抵抗値が小さくなる。この結果、基準電圧ｅ３を抵抗Ｒ１とサーミスタＴｈ１とで抵抗分割して得られる基準電圧ｅ３’は、温度が低い時は高くなり、温度が高い時は低くなる。
【００２８】
図５は、温度に応じて変化するサーミスタＴｈ１の抵抗値を示す図である。同図は、サーミスタＴｈ１の温度変化に対する抵抗値ＴｈＲ及び出力電圧ＴｈＯの変化を示す。
又、図６は、ＡＣアダプタの出力電流を決定する基準電圧ｅ３’が温度変化に応じて変化する様子を示す図である。同図中、縦軸は電圧、横軸は温度を示す。
【００２９】
従って、本実施例では、誤差増幅器ＥＲＡ１は、センス抵抗Ｒ０での電圧降下が基準電圧ｅ３’と比較して大きければ低い電圧を出力し、小さければ高い電圧を出力する。又、誤差増幅器ＥＲＡ２は、端子４７に接続されたセンス抵抗Ｒ０の端子における電圧が基準電圧ｅ１と比較して大きければ低い電圧を出力し、小さければ高い電圧を出力する。
【００３０】
これにより、ＡＣアダプタの出力電圧制御時には、誤差増幅器ＥＲＡ１，ＥＲＡ２の出力電圧ＥＲＡ１，ＥＲＡ２及び三角波発振器４２の三角波出力電圧は図７（ａ）に示すようになり、ＰＷＭ制御回路４３の出力電圧ＰＷＭは同図（ｂ）に示す如きパルス電圧となる。又、ＡＣアダプタの出力電流制御時には、誤差増幅器ＥＲＡ１，ＥＲＡ２の出力電圧ＥＲＡ１，ＥＲＡ２及び三角波発振器４２の三角波出力電圧は図８（ａ）に示すようになり、ＰＷＭ制御回路４３の出力電圧ＰＷＭは同図（ｂ）に示す如きパルス電圧となる。図７及び図８中、縦軸は夫々の電圧の振幅を示し、横軸は時間を示す。
【００３１】
従って、ＡＣアダプタ内の温度が低い時は、ＡＣアダプタの定格出力電流を超えて使用可能な最大定格出力電流は増加する。他方、ＡＣアダプタ内の温度が高い時は、基準電圧ｅ３’が温度上昇と共に低下するので、ＡＣアダプタの出力電流は基準電圧ｅ３’に基づいて制限され、ＡＣアダプタの最大定格出力電流は小さくなる。
【００３２】
この結果、ＡＣアダプタの出力特性は、図９に示すようになる。同図中、縦軸はＡＣアダプタの出力電圧、横軸はＡＣアダプタの出力電流を示す。上記の如く、本実施例では、ＡＣアダプタの定格出力が、定格出力電圧１６Ｖ、定格出力電流３．０Ａに設定されている。図９は、ＡＣアダプタ内の温度が６０℃の時でも、この定格出力で連続動作できることが保証されていることを示す。
【００３３】
又、ＡＣアダプタ内の温度が２５℃の時は、本来の定格出力が１６Ｖ／３．０Ａであるのに対して、定格出力を超える最大定格出力として、５．０Ａまでの最大定格電流が許容されている。しかし、この５．０Ａの最大定格電流での使用が所定時間連続してＡＣアダプタ内の温度が４５℃まで上昇すると、過負荷として許容される最大定格電流は４．０Ａまで減少し、ＡＣアダプタ内の温度を減少させる方向に動作する。この状態でＡＣアダプタの過負荷状態が解消されれば、ＡＣアダプタ内の温度上昇は止まる。他方、ＡＣアダプタ内の温度が４５℃まで上昇した時点でも過負荷状態が解消されずに連続していると、ＡＣアダプタ内の温度は上昇を続け、温度が６０℃まで上昇すると最大定格電流は３．０Ａに制限される。このように、ＡＣアダプタの出力電流が３．０Ａの状態は、定格出力状態であるので、ＡＣアダプタ内の温度はこれ以上上昇することはない。
【００３４】
このようにして、本実施例では、ＡＣアダプタ内の温度に応じて最大定格電流を可変設定するので、定格電流を超えた過負荷状態が許容時間内で連続しても、ＡＣアダプタの最大定格電流を維持する。他方、許容時間を超えて過負荷状態が連続する場合には、最大定格電流を自動的に減少させて、ＡＣアダプタ内の温度が異常上昇しないようにすることができる。
【００３５】
更に、本実施例及び後述する各実施例では、温度検出部６にはサーミスタＴｈ１を用いているが、温度検出を行える素子や装置であれば、温度検出部６はこれに限定されるものではない。例えば、ゼーベック効果（Ｓｅｅｂｅｃｋ  ｅｆｆｅｃｔ）を用いる熱電対（ｔｈｅｒｍｏｃｏｕｐｌｅ）を温度検出部６に用いることも可能である。
【００３６】
次に、本発明になる電源装置の第２実施例を説明する。電源装置の第２実施例では、本発明になる電源制御方法の第２実施例及び本発明になる電源制御回路の第２実施例を採用する。第２実施例でも、本発明がスイッチングレギュレータを用いて交流入力を直流出力に変換するＡＣアダプタに適用されている。
電源装置の第２実施例の基本構成は、図１に示す上記第１実施例の場合と同じであるので、その図示及び説明は省略する。第２実施例では、電源制御回路４１の代わりに、図１０に示す電源制御回路４１−１を使用する。図１０中、図２と同一部分には同一符号を付し、その説明は省略する。
【００３７】
図１０に示すように、本実施例では、電源制御回路４１−１は端子４９を更に有し、図２に示す誤差増幅器ＥＲＡ１の代わりに３入力の誤差増幅器ＥＲＡ１−１を使用する。端子４９には基準電圧ｅ１が入力され、この基準電圧ｅ１は誤差増幅器ＥＲＡ１−１の第２の非反転入力端子に入力される。従って、誤差増幅器ＥＲＡ１−１において、基準電圧ｅ３’の方が基準電圧ｅ１より低い時には基準電圧ｅ３’が電圧増幅器ＡＭＰ１の出力電圧との比較に用いられ、基準電圧ｅ３’の方が基準電圧ｅ１より高い時には基準電圧ｅ１が電圧増幅器ＡＭＰ１の出力電圧との比較に用いられる。誤差増幅器ＥＲＡ１−１の反転入力端子には、センス抵抗Ｒ０を流れる電流に比例した電圧を作成する電圧増幅器ＡＭＰ１の出力電圧が入力されるので、誤差増幅器ＥＲＡ１−１の非反転入力端子に入力される基準電圧に応じた出力電流が、ＡＣアダプタの出力電流となる。
【００３８】
従って、ＡＣアダプタ内の温度が低い時は、ＡＣアダプタの定格出力電流を超えて使用可能な最大定格出力電流は大きくなるが、或る温度を境にして基準電圧ｅ１で制限される電流値に制限される。他方、ＡＣアダプタ内の温度が高い時は、基準電圧ｅ３’が温度上昇と共に低下するので、ＡＣアダプタの出力電圧は基準電圧ｅ３’に基づいて制限され、ＡＣアダプタの最大定格出力電流は小さくなる。この結果、ＡＣアダプタの出力特性は、上記第１実施例の場合と同様に、図９に示すようになる。
【００３９】
次に、本発明になる電源装置の第３実施例を説明する。電源装置の第３実施例では、本発明になる電源制御方法の第３実施例及び本発明になる電源制御回路の第３実施例を採用する。第３実施例では、本発明が直流入力を直流入力とは異なる直流出力に変換するＤＣアダプタに適用されている。
図１１は、電源装置の第３実施例を示す図である。同図中、図１と同一部分には同一符号を付し、その説明は省略する。本実施例では、直流（ＤＣ）入力は、例えばカーバッテリからなる直流電源５０から得られ、電圧変換回路２に直接入力される。これにより、出力制御回路４からは、直流入力とは異なる直流出力が得られる。つまり、本実施例は、図１に示す整流回路１が省略されている点を除けば、上記第１実施例と同じ構成を有する。
【００４０】
以上、本発明を実施例により説明したが、本発明は上記実施例に限定されるものではなく、本発明の範囲内で種々の変形及び改良か可能であることは言うまでもない。
【００４１】
【発明の効果】
本発明によれば、小型軽量化及び低コスト化が可能であり、安定、且つ、安全な動作を保証でき、電源装置を使用する電子機器の保護も十分に行うことが可能な電源制御方法及び回路並びに電源装置を提供することができる。
【図面の簡単な説明】
【図１】本発明になる電源装置の第１実施例を示す図である。
【図２】第１実施例における電源制御回路の構成の一実施例を示す図である。
【図３】ＡＣアダプタの出力電流値を決定する基準電圧が固定である場合のＡＣアダプタの出力特性を示す図である。
【図４】過負荷状態の領域が発生するＡＣアダプタの出力特性を示す図である。
【図５】温度に応じて変化するサーミスタの抵抗値を示す図である。
【図６】ＡＣアダプタの出力電流を決定する基準電圧が温度変化に応じて変化する様子を示す図である。
【図７】ＡＣアダプタの出力電圧制御時にＰＷＭ制御回路に入力される電圧を示す図である。
【図８】ＡＣアダプタの出力電流制御時にＰＷＭ制御回路に入力される電圧を示す図である。
【図９】第１実施例におけるＡＣアダプタの出力特性を示す図である。
【図１０】本発明になる電源装置の第２実施例における電源制御回路の構成の一実施例を示す図である。
【図１１】本発明になる電源装置の第３実施例を示す図である。
【符号の説明】
１，３      整流回路
２      電圧変換回路
４      出力制御回路
５      カプラ
２１      ドライブ回路
４１，４１−１      電源制御回路
【図１】
0003642398.tif 000002
【図２】
0003642398.tif 000003
【図３】
0003642398.tif 000004
【図４】
0003642398.tif 000005
【図５】
0003642398.tif 000006
【図６】
0003642398.tif 000007
【図７】
0003642398.tif 000008
【図８】
0003642398.tif 000009
【図９】
0003642398.tif 000010
【図１０】
0003642398.tif 000011
【図１１】
0003642398.tif 000012